【手続補正書】
【提出日】平成29年3月8日(2017.3.8)
【手続補正１】
【補正対象書類名】特許請求の範囲
【補正対象項目名】全文
【補正方法】変更
【補正の内容】
【特許請求の範囲】
【請求項１】
パルス生成器と、
１つ又は複数の電極と、
コントローラと、
を備え、前記コントローラは、
第１の電気信号を前記１つ又は複数の電極に出力して、第１のパターンの電気刺激を対象者の標的神経組織の第１の部分母集団に適用するように、前記パルス生成器を制御することと、
第２の電気信号を前記１つ又は複数の電極に出力して、第２のパターンの電気刺激を前記対象者の標的神経組織の第２の部分母集団に適用するように、前記パルス生成器を制御することであって、前記第２のパターンの電気刺激は、前記第１のパターンの電気刺激とは異なる周波数で適用される、制御することと、
刺激の効果を最適化するように、前記第１のパターンの電気刺激及び前記第２のパターンの電気刺激を制御することと、
を実行するように構成される、システム。
【請求項２】
前記１つ又は複数の電極は、前記標的神経組織の第１の部分母集団と電気的に連通して、前記第１のパターンの電気刺激を前記標的神経組織の第１の部分母集団に適用する第１の接点を備える、請求項１に記載のシステム。
【請求項３】
前記１つ又は複数の電極は、前記第２の部分母集団と電気的に連通して、前記第２のパターンの電気刺激を前記標的神経組織の第２の部分母集団に適用する第２の接点を備える、請求項２に記載のシステム。
【請求項４】
前記コントローラは、前記第１のパターンの複数の異なる周波数を異なるタイミングで適用すると共に、前記第２のパターンの複数の異なる周波数を異なるタイミングで適用するよう前記パルス生成器を制御するように構成される、請求項１に記載のシステム。
【請求項５】
前記第１のパターンの電気刺激及び前記第２のパターンの電気刺激の前記適用を制御するユーザ入力を受信する為のユーザインタフェースを更に備える、請求項１に記載のシステム。
【請求項６】
前記第１のパターンの電気刺激の周波数は、前記第２のパターンの電気刺激の前記周波数の倍数である、請求項１に記載のシステム。
【請求項７】
前記１つ又は複数の電極は、第１の接点及び第２の接点を備え、前記第１の接点及び前記第２の接点は、前記標的神経組織の前記第１の部分母集団及び前記第２の部分母集団のそれぞれと電気的に連通するように位置決めされ、
前記コントローラは、
電気信号を前記第１の接点に出力して、前記第１のパターンの電気刺激を前記標的神経組織の第１の部分母集団に適用するよう前記パルス生成器を制御することと、
電気信号を前記第２の接点に出力して、前記第２のパターンの電気刺激を前記標的神経組織の第２の部分母集団に適用するよう前記パルス生成器を制御することと、
を実行するように構成される、請求項１に記載のシステム。
【請求項８】
前記標的神経組織は脊柱神経線維を含む、請求項１に記載のシステム。
【請求項９】
前記コントローラは、ＷＤＲニューロン発射の抑制（有効性）の最大化及び平均刺激周波数の最小化のうちの一方に関して、他のパターンの中から前記第１のパターンの電気刺激及び前記第２のパターンの電気刺激を選択するように構成される、請求項１に記載のシステム。
【請求項１０】
少なくとも１つのプロセッサ及びメモリは、痛みの抑制の最大化及び平均刺激周波数の最小化に関して、他のパターンの中から前記第１のパターンの電気刺激及び前記第２のパターンの電気刺激を選択するように構成される、請求項１に記載のシステム。
【請求項１１】
少なくとも１つのプロセッサ及びメモリは、有効性の最大化及び効率の最大化のうちの一方に関して、他のパターンの中から前記第１のパターンの電気刺激及び前記第２のパターンの電気刺激を選択するように構成され、
前のシミュレーションでの平均刺激周波数の最小化は、効率の代理であり、
前のシミュレーションでのワイドダイナミックレンジニューロン発射の抑制は、有効性の代理である、請求項１に記載のシステム。
【請求項１２】
少なくとも１つのプロセッサ及びメモリは、臨床使用中の患者の痛みの最小化及び装置消費電力の最小化のうちの一方に関して、他のパターンの中から前記第１のパターンの電気刺激及び前記第２のパターンの電気刺激を選択するように構成される、請求項１に記載のシステム。
【請求項１３】
少なくとも１つのプロセッサ及びメモリは、痛みの抑制を維持しながら、平均刺激周波数を最小化することに関して、他のパターンの中から前記第１のパターンの電気刺激及び前記第２のパターンの電気刺激を選択するように構成される、請求項１に記載のシステム。
【請求項１４】
前記第１のパターン及び前記第２のパターンの選択を受信する為のユーザインタフェースを含む計算装置を更に備える、請求項１に記載のシステム。
【請求項１５】
少なくとも１つのプロセッサ及びメモリは、ワイドダイナミックレンジニューロンの活動の抑制の最適化に関して、他のパターンの中から前記第１のパターンの電気刺激及び前記第２のパターンの電気刺激を選択するように構成される、請求項１に記載のシステム。
【手続補正２】
【補正対象書類名】明細書
【補正対象項目名】００４４
【補正方法】変更
【補正の内容】
【００４４】
本主題が、目的を遂行し、上述した結果及び利点並びにそれらに固有の結果及び利点を得るように上手く適合されることを当業者は容易に理解されよう。本例は、本明細書に記載される方法と共に、様々な実施形態の現在の代表であり、例示的なものであり、本主題の範囲に対する限定として意図されていない。本例での変更形態及び他の使用は当業者に想到され、それらの変更形態及び他の使用は、特許請求の範囲によって規定される本主題の趣旨内に包含される。
〔付記１〕
第１のパターンの電気刺激を対象者の標的神経組織の第１の部分母集団に適用することと、
第２のパターンの電気刺激を前記対象者の標的神経組織の第２の部分母集団に適用することであって、前記第２のパターンの電気刺激は、前記第１のパターンの電気刺激とは異なる周波数で適用される、適用することと、
刺激の効果を最適化するように、前記第１のパターンの電気刺激及び前記第２のパターンの電気刺激を制御することと、
を含む、方法。
〔付記２〕
第１のパターンの電気刺激を適用することは、
第１の接点を前記標的神経組織の第１の部分母集団と電気的に連通させることと、
前記第１の接点を使用して、前記第１のパターンの電気刺激を前記標的神経組織の第１の部分母集団に適用することと、
を含む、付記１に記載の方法。
〔付記３〕
第２のパターンの電気刺激を適用することは、
第２の接点を前記標的神経組織の第２の部分母集団と電気的に連通させることと、
前記第２の接点を使用して、前記第２のパターンの電気刺激を前記標的神経組織の第２の部分母集団に適用することと、
を含む、付記２に記載の方法。
〔付記４〕
前記第１のパターンの電気刺激及び前記第２のパターンの電気刺激は、異なるタイミングで適用される、付記１に記載の方法。
〔付記５〕
前記第１のパターンの電気刺激及び前記第２のパターンの電気刺激の前記適用を制御するユーザ入力を受信することを更に含む、付記１に記載の方法。
〔付記６〕
前記第１のパターンの電気刺激の周波数は、前記第２のパターンの電気刺激の前記周波数の倍数である、付記１に記載の方法。
〔付記７〕
第１の接点及び第２の接点を備える電極を提供することと、
前記第１の接点及び前記第２の接点を前記標的神経組織の前記第１の部分母集団及び前記第２の部分母集団のそれぞれと電気的に連通させることと、
前記第１の接点を使用して、前記第１のパターンの電気刺激を前記標的神経組織の第１の部分母集団に適用することと、
前記第２の接点を使用して、前記第２のパターンの電気刺激を前記標的神経組織の第２の部分母集団に適用することと、
を更に含む、付記１に記載の方法。
〔付記８〕
前記標的神経組織は脊柱神経線維を含む、付記１に記載の方法。
〔付記９〕
ＷＤＲニューロン発射の抑制の最大化及び平均刺激周波数の最小化のうちの一方に関して、他のパターンの中から前記第１のパターンの電気刺激及び前記第２のパターンの電気刺激を選択することを更に含む、付記１に記載の方法。
〔付記１０〕
痛みの抑制の最大化及び平均刺激周波数の最小化に関して、他のパターンの中から前記第１のパターンの電気刺激及び前記第２のパターンの電気刺激を選択することを更に含む、付記１に記載の方法。
〔付記１１〕
有効性の最大化及び効率の最大化のうちの一方に関して、他のパターンの中から前記第１のパターンの電気刺激及び前記第２のパターンの電気刺激を選択することを更に含み、
平均刺激周波数の最小化は、効率の代理であり、前のシミュレーションでのワイドダイナミックレンジニューロン発射の抑制は、有効性の代理である、付記１に記載の方法。
〔付記１２〕
臨床使用中の患者の痛みの最小化及び装置消費電力の最小化のうちの一方に関して、他のパターンの中から前記第１のパターンの電気刺激及び前記第２のパターンの電気刺激を選択することを更に含む、付記１に記載の方法。
〔付記１３〕
痛みの抑制を維持しながら、平均刺激周波数を最小化することに関して、他のパターンの中から前記第１のパターンの電気刺激及び前記第２のパターンの電気刺激を選択することを更に含む、付記１に記載の方法。
〔付記１４〕
有効性及び効率の最適化；
前のシミュレーションでのワイドダイナミックレンジニューロンの活動の抑制（有効性）、
前のシミュレーションでの平均刺激周波数の最小化（効率）、
臨床実践での患者の痛み及び刺激周波数の最小化
に関して、他のパターンの中から前記第１のパターンの電気刺激及び前記第２のパターンの電気刺激を選択することを更に含む、付記１に記載の方法。
〔付記１５〕
パルス生成器と、
１つ又は複数の電極と、
コントローラと、
を備え、前記コントローラは、
第１の電気信号を前記１つ又は複数の電極に出力して、第１のパターンの電気刺激を対象者の標的神経組織の第１の部分母集団に適用するように、前記パルス生成器を制御することと、
第２の電気信号を前記１つ又は複数の電極に出力して、第２のパターンの電気刺激を前記対象者の標的神経組織の第２の部分母集団に適用するように、前記パルス生成器を制御することであって、前記第２のパターンの電気刺激は、前記第１のパターンの電気刺激とは異なる周波数で適用される、制御することと、
刺激の効果を最適化するように、前記第１のパターンの電気刺激及び前記第２のパターンの電気刺激を制御することと、
を実行するように構成される、システム。
〔付記１６〕
前記１つ又は複数の電極は、前記標的神経組織の第１の部分母集団と電気的に連通して、前記第１のパターンの電気刺激を前記標的神経組織の第１の部分母集団に適用する第１の接点を備える、付記１５に記載のシステム。
〔付記１７〕
前記１つ又は複数の電極は、前記第２の部分母集団と電気的に連通して、前記第２のパターンの電気刺激を前記標的神経組織の第２の部分母集団に適用する第２の接点を備える、付記１６に記載のシステム。
〔付記１８〕
前記コントローラは、前記第１のパターンの複数の異なる周波数を異なるタイミングで適用すると共に、前記第２のパターンの複数の異なる周波数を異なるタイミングで適用するよう前記パルス生成器を制御するように構成される、付記１５に記載のシステム。
〔付記１９〕
前記第１のパターンの電気刺激及び前記第２のパターンの電気刺激の前記適用を制御するユーザ入力を受信する為のユーザインタフェースを更に備える、付記１５に記載のシステム。
〔付記２０〕
前記第１のパターンの電気刺激の周波数は、前記第２のパターンの電気刺激の前記周波数の倍数である、付記１５に記載のシステム。
〔付記２１〕
前記１つ又は複数の電極は、第１の接点及び第２の接点を備え、前記第１の接点及び前記第２の接点は、前記標的神経組織の前記第１の部分母集団及び前記第２の部分母集団のそれぞれと電気的に連通するように位置決めされ、
前記コントローラは、
電気信号を前記第１の接点に出力して、前記第１のパターンの電気刺激を前記標的神経組織の第１の部分母集団に適用するよう前記パルス生成器を制御することと、
電気信号を前記第２の接点に出力して、前記第２のパターンの電気刺激を前記標的神経組織の第２の部分母集団に適用するよう前記パルス生成器を制御することと、
を実行するように構成される、付記１５に記載のシステム。
〔付記２２〕
前記標的神経組織は脊柱神経線維を含む、付記１５に記載のシステム。
〔付記２３〕
前記コントローラは、ＷＤＲニューロン発射の抑制（有効性）の最大化及び平均刺激周波数の最小化のうちの一方に関して、他のパターンの中から前記第１のパターンの電気刺激及び前記第２のパターンの電気刺激を選択するように構成される、付記１５に記載のシステム。
〔付記２４〕
少なくとも１つのプロセッサ及びメモリは、痛みの抑制の最大化及び平均刺激周波数の最小化に関して、他のパターンの中から前記第１のパターンの電気刺激及び前記第２のパターンの電気刺激を選択するように構成される、付記１５に記載のシステム。
〔付記２５〕
少なくとも１つのプロセッサ及びメモリは、有効性の最大化及び効率の最大化のうちの一方に関して、他のパターンの中から前記第１のパターンの電気刺激及び前記第２のパターンの電気刺激を選択するように構成され、
前のシミュレーションでの平均刺激周波数の最小化は、効率の代理であり、
前のシミュレーションでのワイドダイナミックレンジニューロン発射の抑制は、有効性の代理である、付記１５に記載のシステム。
〔付記２６〕
少なくとも１つのプロセッサ及びメモリは、臨床使用中の患者の痛みの最小化及び装置消費電力の最小化のうちの一方に関して、他のパターンの中から前記第１のパターンの電気刺激及び前記第２のパターンの電気刺激を選択するように構成される、付記１５に記載のシステム。
〔付記２７〕
少なくとも１つのプロセッサ及びメモリは、痛みの抑制を維持しながら、平均刺激周波数を最小化することに関して、他のパターンの中から前記第１のパターンの電気刺激及び前記第２のパターンの電気刺激を選択するように構成される、付記１５に記載のシステム。
〔付記２８〕
前記第１のパターン及び前記第２のパターンの選択を受信する為のユーザインタフェースを含む計算装置を更に備える、付記１５に記載のシステム。
〔付記２９〕
少なくとも１つのプロセッサ及びメモリは、ワイドダイナミックレンジニューロンの活動の抑制の最適化に関して、他のパターンの中から前記第１のパターンの電気刺激及び前記第２のパターンの電気刺激を選択するように構成される、付記１５に記載のシステム。